(57)【特許請求の範囲】
【請求項１】
球状体物等内に複数のスイッチを内蔵し、球状体物等内から球状体物等外に突出した操作棒に二つの方向の操作性を持たせ、一の方向の操作で複数のスイッチから所定のスイッチを選択し、他の一方向の操作でスイッチの機能を選択すること、を特徴とするＬＥＤランプ
【請求項２】
請求項１に記載の発明において、球状体物等が口金を有する電球形をしていること、を特徴とする電球形ＬＥＤランプ
【発明の詳細な説明】
【技術分野】
【０００１】
本願発明は、球状体物等内から球状体物等外に突出した操作棒を操作して、球状体物等に内蔵するスイッチの選択およびスイッチの機能を選択できるＬＥＤ電球に関する。
【背景技術】
【０００２】
光源から相当の距離を離れて、光源スイッチを操作する照明器具としては、光源スイッチに吊り下げられた紐によって光源スイッチをＯＮ−ＯＦＦできる従来の蛍光灯等がある。
しかし、この操作に用いられるスイッチ・紐は光源体とは別個に設けられたものであって、一体化されたものではない。
【０００３】
また、光源から離れて光源スイッチを操作する照明器具としては、最近のＬＥＤ天井灯に用いられているような、リモコンによるものもあるが、やはり、光源体と制御機器とは別の物であり、高価な製品となっている。
【０００４】
一方、提灯のような球状体物および行灯のような筒状体物ならびに電球（以下、これらを「球状体物等」と称する。）の内部に内蔵するスイッチとそのスイッチの操作部品が、球状体物等として一つの纏まりがあれば、単一の物品として安価に供給・市販でき、取替えが容易となり、取替えても同じような操作で機能が簡単に選択でき、日常生活に至便な物品となる。
【０００５】
通常の白熱電球は電球内が真空であることを必要とすることから、電球内から外部に突出する物体を設けにくいが、ＬＥＤ電球は真空度を必要としないことからし、電球内から外部に突出する物を設けることが可能である。
特に、ＬＥＤ電球は寿命が長いことから、操作部品を組み込む価値は大きい。
【０００６】
しかし、球状体物等内にスイッチを内蔵し、スイッチとは別物の操作棒を球状体物等内から球状体物等外に突出させ、該操作棒を操作してスイッチを選択・スイッチの機能を選択できるＬＥＤランプに関しては先例を見ない。
【先行技術文献】
【特許文献】
【０００７】
【特許文献１】特許電子図書館の公報テキスト検索（公開特許公報）で、以下の条件で検索したが、該当すると思料できるものはありません。                                  「要約と請求の範囲」  「ＬＥＤ」                                    ＡＮＤ  「要約と請求の範囲」  「スイッチ」                                  ＡＮＤ  「要約と請求の範囲」  「照度」                                      ＡＮＤ  「要約と請求の範囲」  「棒  スティック  スチック」                発見された件数は、３件
【発明の概要】
【発明が解決しようとする課題】
【０００８】
本願発明は、上記のような事情のもとで考えだされたＬＥＤ光源に関するもので、ＬＥＤ光源が有する、多色性・光度調節可能性の諸機能を、一のＬＥＤ電球に持たせ、これらの諸機能を、外部から、簡便かつ安価な機構で選択を可能にすることを課題とする。
【課題を解決するための手段】
【０００９】
本願発明では、ＬＥＤ光源ランプには、真空度を要しないこと、および、ＬＥＤ光源ランプは白熱電球に比べて高価であること、ならびに、ＬＥＤ光源ランプは長寿命であることを考慮し、さらに、ＬＥＤ光源が有する、多色性・光度調節可能性の諸機能を、球状体物等内に内蔵したスイッチを、球状体物等内から球状体物等外に突出した操作棒を操作して、スイッチの機能を選択できるようにした。
【００１０】
さらに、球状体物等内にスイッチを複数内蔵させ、球状体物等内から球状体物等外に突出した操作棒に二つの方向の操作性を持たせ、一の方向の操作でスイッチを選択し、他の一方向操作でスイッチ機能を選択できるようにした。
【００１１】
そのうえ、上記の機能を、球状体物等が口金を有する電球形をした電球形ＬＥＤランプに適用した。
【発明の効果】
【００１２】
ＬＥＤ光源が有する、多色性・光度調節可能性の諸機能を、球状体物等内から球状体物等外に突出した操作棒を操作するという、極めて軽便な操作で選択できる。
【００１３】
球状体物等内から球状体物等外に突出させた操作棒を用いた機構であるから、安価に高機能のＬＥＤランプを供給できる。
【００１４】
広くは、ＬＥＤ光源を有する提灯・行灯等の球状体物等の光源体に適用できる。
【００１５】
日常品としては、日常広く使われてきている白熱電灯に代わり、ＬＥＤ光源の有する多機能なランプとして手軽に使用でき、省エネルギー品・趣味に適合した光源として使用できる。
【図面の簡単な説明】
【００１６】
【図１】本願発明を電球形ＬＥＤランプに適応した状態を示す正面図である。
【図２】本願発明を電球形ＬＥＤランプに適応した状態を示す側面図である。
【図３】操作棒とスイッチレバーを示す正面図および上面図である。
【図４】２方向操作を可能とする操作棒とスイッチレバーを示す正面図および上面図である。
【図５】本願発明の実施可能性を示すための電子回路の一例を示す回路図である。
【発明を実施するための形態】
【００１７】
本願発明を電球形ＬＥＤランプに適応した場合（図１、図２および図３）について説明する。
ＬＥＤ光源部分を、行灯・提灯等の内部に設ければ、電球形ＬＥＤランプと同様に使用できる。
【００１８】
電球形ＬＥＤランプは、外観からは、口金２１、上部支持材２２、放熱器２５およびレンズ２６から成り、レンズの中央部に設けられた開口から、操作棒１１（図３）の端部が取出され、突出されている。
【００１９】
制御基板２３は、放熱器２５の部分に格納され、その制御基板にスイッチ１３が埋め込まれている。
なお、制御基板の下部にＬＥＤ基板２４が取付けられている。
【００２０】
操作棒１１は、図３に示すように、その上部にスイッチレバー１２が一体化されている。
操作棒を引き降ろすと、あるいは、操作棒端部の孔に取付けられた紐（図面省略）を引っ張ると、スイッチレバーはスイッチ１３の頭部を押えながら、所定の位置に設定され、所定の機能が選択される。
なお、最下端の位置にスイッチが設定され、さらに操作棒・紐を引き降ろそうとすると、スイッチレバーはスプリング１４によって、上部へ戻される。
【００２１】
この操作棒１１を引き降ろす際、下降が円滑に行くように、レンズ２６の中央部に設けられた開口にガイド１５を設けている。
【００２２】
スイッチ１３には、ロック式が通常使用されるが、ロック機能を制御基板２３に持たせることができれば、スイッチのロック機能を省略することもできる。
また、スイッチには、OFF-ON の１段だけのものが通常使用されるが、OFF-ON1-ON2 の２段式でも、あるいはそれ以上の段数のものでもよい。
【００２３】
スイッチ１３の機能の具体例としては、
OFF-ON の１段だけの場合は、単なる ＬＥＤ光源の、OFF-ON、
OFF-ON1-ON2 の２段式では、ON1 では 50％発光、ON2 で 100％発光がある。
【００２４】
さらに、制御基板２３に、２個のスイッチ（図示省略）を埋め込んだ場合の操作棒のスイッチレバー１６を図４に示す。
操作棒１１を左右に回すことにより、スイッチレバー１６は２個のスイッチのいずれかを選択する。
勿論、一方のスイッチをデフォルトとしておくことが望ましい（機構詳細省略）。
【００２５】
２個のスイッチを埋め込んだ場合のスイッチの機能の具体例としては、デフォルトのスイッチの場合は、上述の１個のスイッチと同様とし、操作棒１１を回して、２個目のスイッチの他方を選択した場合は、
OFF-ON の１段だけの場合は、白色以外の色合い、例えば白熱電球色、のＬＥＤ光源の、OFF-ON、
OFF-ON1-ON2 の２段式では、白色以外の色合いのＬＥＤ光源の、ON1 では 50％発光、ON2 で 100％発光がある。
勿論、他の種々の組み合わせが可能である。
【００２６】
操作棒１１、スイッチレバー１２・１６、ガイド１５の素材には、合成樹脂の型成型品が用いられ、スプリング１４には、金属製の通常のばね材が使用される。
【００２７】
図５は、ＬＥＤランプに本願発明の実施可能性を示すため、制御基板２３に組み込まれる回路の一例を示したものである（詳細説明省略、類似の回路の回路説明は、特開2011―198735号公報にある。）。
【産業上の利用可能性】
【００２８】
本願発明は、日常生活に必要不可欠な照明に関するものであって、ＬＥＤ光源ランプ等にＬＥＤ光源の有する諸機能を手軽に選択可能にし、省エネルギーに貢献できるとともに、生活に光の潤いを、安価に供給できるという点で、産業上の利用可能性が高いものである。
【符号の説明】
【００２９】
１１    操作棒
１２    スイッチレバー
１３    スイッチ
１４    スプリング
１５    ガイド
１６    スイッチレバー（２個のスイッチを選択する機能付き）
２１    口金
２２    上部支持材
２３    制御基板
２４    ＬＥＤ基板
２５    放熱器
２６    レンズ
【図１】
0005637543.tif 000002
【図２】
0005637543.tif 000003
【図３】
0005637543.tif 000004
【図４】
0005637543.tif 000005
【図５】
0005637543.tif 000006